【事件の表示】
　特願２０１３−　８５１２１「情報収集装置」拒絶査定不服審判事件〔平成２６年１０月３０日出願公開、特開２０１４−２０６９２０、請求項の数（４）〕について、次のとおり審決する。
【結　論】
　原査定を取り消す。
　本願の発明は、特許すべきものとする。
【理　由】
第１　手続の経緯
　本願は、平成２５年４月１５日の出願であって、平成２９年１月３１日付けで拒絶理由通知がされ、同年３月３０日付けで意見書が提出されると共に手続補正がされ、同年６月２９日付けで拒絶査定（原査定）がされ、これに対し、同年１０月２日に拒絶査定不服審判の請求がされると同時に、手続補正がされ、平成３０年６月１２日付けで拒絶理由通知（以下、「当審拒絶理由通知」という。）がされ、同年８月８日付けで意見書が提出されたものである。
第２　原査定の概要
　原査定（平成２９年６月２９日付け拒絶査定）の概要は次のとおりである。
（進歩性）この出願の請求項３−５に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
　　　　　　　　　　　　　　＜引用文献等一覧＞
Ａ.特開２０１２−１２０６１９号公報
Ｂ.特開２００１−６４９０号公報
第３　当審拒絶理由の概要
　当審拒絶理由の概要は次のとおりである。
（進歩性）本件出願の請求項１−４に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
　　　　　　　　　　　　　　＜引用文献等一覧＞
１：特開２０１２−１２０６１９号公報（拒絶査定時の引用文献Ａ）
２：特開２００１−３５３０５号公報
３：実願昭５４−１１９９７３号（実開昭５６−３７３２４号）のマイクロフィルム
第４　本願発明
　本願請求項１−４に係る発明（以下、それぞれ「本願発明１」−「本願発明４」という。）は、平成２９年１０月２日付けの手続補正書で補正された特許請求の範囲の請求項１−４に記載された事項により特定される発明であり、本願発明１−４は以下のとおりの発明である。
「　【請求項１】
　使用者が押圧可能な複数の選択ボタンと、
　使用者の識別情報と押圧された選択ボタンの情報とを少なくとも記憶可能で、記憶された情報をホスト装置に無線送信可能な通信モジュールと、を備えたシート状の情報収集装置であって、
　前記通信モジュールが実装される第１樹脂層と、
　前記第１樹脂層に接着される第２樹脂層と、を備え、
　前記第１樹脂層は、前記複数の選択ボタンの各位置に対応づけて２つずつ設けられる複数の接点と、前記通信モジュールの複数の端子のそれぞれに接続される複数の端子部と、前記複数の接点のそれぞれと前記複数の端子部のそれぞれとを電気的に接続する複数の導通パターンとを有する第１面を備え、
　前記第２樹脂層は、対応する２つの前記接点ごとに設けられる複数の接点導通部を有する第２面を備え、
　前記第１面および前記第２面のいずれか一方の反対側に設けられる第３面は、前記複数の選択ボタンのそれぞれの押下位置を示す複数のボタン操作部を有し、
　前記複数の選択ボタンのそれぞれに対応する前記接点と、この接点に対向配置される前記接点導通部との周囲には、該接点と該接点導通部との間の空気を分散させる空気分散部が設けられ、
　前記空気分散部は、前記複数のボタン操作部の少なくとも一部に設けられ、対応する前記接点および前記接点導通部の間の空気を前記ボタン操作部の表面から逃がす孔を含んでおり、
　前記複数のボタン操作部は、人間の指が触れる操作面と、この操作面の端部に設けられる段部とを有し、
　前記空気分散部は、前記操作面の反対側の面と前記段部とで形成される空間に配置され、
　前記孔は、前記段部に設けられることを特徴とする情報収集装置。
　　【請求項２】
　前記空気分散部の周囲で前記第１樹脂層及び前記第２樹脂層を接着するシール剤を備え、
　前記空気分散部は、前記操作面の反対側の面と前記段部とで囲まれる複数の空間同士で空気を分散しあう非シール部を有する、請求項１に記載の情報収集装置。
　　【請求項３】
　前記第１樹脂層および前記第２樹脂層の材料は、ＰＥＴ（ポリエチレンテフタレート）またはＰＰ（ポリプロピレン）を含むことを特徴とする請求項１または２に記載の情報収集装置。
　　【請求項４】
　使用者が押圧した前記選択ボタンの情報を取り消すための取消ボタンを備え、
　前記通信モジュールは、ＩＣチップと、このＩＣチップに電源電圧を供給するボタン電池と、を有し、
　前記ＩＣチップは、
　押圧された前記選択ボタンを特定する情報と、押圧された時刻情報とを時系列で記憶する記憶部と、
　前記記憶部に情報を記憶する制御を行う制御部と、
　前記ホスト装置との間で近接無線通信を行う無線通信部と、を有し、
　前記制御部は、前記取消ボタンが押圧されると、前記取消ボタンが押圧される直前に押圧された前記選択ボタンの押圧情報を取り消す旨の情報を前記記憶部に記憶するか、あるいは前記押圧情報を前記記憶部から削除することを特徴とする請求項１乃至３のいずれかに記載の情報収集装置。」
第５　引用文献、引用発明等
１．引用文献１について
　当審拒絶理由通知に引用された引用文献１には、図面とともに次の事項が記載されている。
ａ）「【００２４】
　
電子パッケージ１０は、１枚のブランク紙（ブランクシート）を所望の形状にカットされた板紙（基板）Ｐを備え
板紙Ｐには、それぞれ矩形状の、扉部第１パネル１１Ａ、配列部第１パネル１２Ａ、配列部第２パネル１２Ｂ、扉部第２パネル１１Ｂ、扉部第３パネル１１Ｃ、保持部第１パネル１３Ａ、保持部第２パネル１３Ｂ、保持部第３パネル１３Ｄ、および、扉部第１パネル１１Ａと配列部第１パネル１２Ａとの間に備える側部パネル１６Ａ、配列部第２パネル１２Ｂと扉部第２パネル１１Ｂとの間に備える側部パネル１６Ｂ、配列部第１パネル１２Ａと保持部第２パネル１３Ｂとの間に備える側部パネル１７Ａ、配列部第２パネル１２Ｂと保持部第３パネル１３Ｄとの間に備える側部パネル１７Ｂとで構成され
板紙Ｐに代えて、
プラスチックシートなど一定の厚みを持った折り曲げ性にすぐれた材料（部材）を用い
【００２５】
　保持部第１パネル１３Ａには、７×４の配列で２８個の円状の切り欠き１３ＡＸを備える。この切り欠き１３ＡＸの大きさは、プラスチックシート１４の湾曲部１４Ａよりもやや大きく形成される。保持部第２パネル１３Ｂには、保持部第１パネル１３Ａに形成された切り欠き１３ＡＸよりやや大きい円状のミシン目Ｃ２が７×４の配列で２８個形成される。保持部第３パネル１３Ｄには、保持部第１パネル１３Ａに形成された円状の切り欠き１３ＡＸと同程度の大きさの円状のミシン目Ｃ１が７×４の配列で２８個形成される。ミシン目Ｃ２をミシン目Ｃ１よりもやや大きく形成することで、サプリメント１５が収容部３０から押し出される際に、保持部第２パネル１３Ｂと保持部第３パネル１３Ｄの破断を容易にすることができる。なお、ミシン目Ｃ１，Ｃ２に代えてハーフカットであってもよい。
【００２６】
　扉部第１パネル１１Ａには、矩形状の切り欠き１１ＡＸを形成する。
配列部第１パネル１２Ａには、導電スポット２１Ａ、導電スポット２１Ｂ１，２１Ｂ２，２１Ｂ３が形成され
配列部第２パネル１２Ｂには、不連続部２２、不連続部２３Ａ，２３Ｂ，２３Ｃが形成され
配列部第２パネル１２Ｂの、不連続部２２に対応する反対側の面
には円状のスタートボタンＳＴが印刷され
配列部第２パネル１２Ｂの、不連続部２３Ａ，２３Ｂ，２３Ｃに対応する反対側の面
にはそれぞれ円状の回答ボタン１９Ａ，１９Ｂ，１９Ｃが印刷され
【００２７】
　
扉部第２パネル１１Ｂには、電子モジュールＭが貼着され
扉部第２パネル１１Ｂ、配列部第２パネル１２Ｂ、側部パネル１６Ｂ，１７Ｂ、保持部第３パネル１３Ｄには、電気回路ＥＣを形成
電気回路ＥＣの陰極端子は、電子モジュールＭの一端より出て、扉部第２パネル１１Ｂ、側部パネル１６Ｂ，１７Ｂ、配列部第２パネル１２Ｂ、保持部第３パネル１３Ｄのそれぞれ縁部を通って、電子モジュールＭの他端へ入るように回路構成され
一方、電気回路ＥＣの陽極端子は合計で３２個あり、そのうちの１つが不連続部２２の一方に達し、不連続部２２の他方は、陰極回路に合流
また、３つの陽極端子はそれぞれ３つの不連続部２３の一方に達し、不連続部２３の他方は、陰極回路に合流する
【００２８】
　残りの２８個の陽極端子は、それぞれ、保持部第３パネル１３Ｄの形成された２８個のミシン目Ｃ１に向かい、ミシン目Ｃ１を略直径方向に横切り、陰極回路に合流する。なお、陽極端子から伸びた２８本の回路線のそれぞれがミシン目Ｃ１で区切られる部分を検知部（検知手段）２４と称する。
導電スポット２１Ａ、導電スポット２１Ｂ１，２１Ｂ２，２１Ｂ３、不連続部２２，２３Ａ，２３Ｂ，２３Ｃ、電気回路ＥＣは、導電物質をインクジェット方式により板紙Ｐ上に印刷することによって形成され
【００２９】
　後述する手順で
板紙Ｐを折り畳む際、切り欠き１１ＡＸは、扉部第１パネル１１Ａを扉部第２パネル１１Ｂに重ねたときに、電子モジュールＭの対応する位置に形成され
導電スポット２１Ａは、配列部第１パネル１２Ａを配列部第２パネル１２Ｂに重ねたときに、不連続部２２の中央部に略一致するように形成され
導電スポット２１Ｂ１，２１Ｂ２，２１Ｂ３は、配列部第１パネル１２Ａを配列部第２パネル１２Ｂに重ねたときに、それぞれ不連続部２３Ａ，２３Ｂ，２３Ｃの２つの電極にまたがる位置に形成され
【００３０】
　このように
電気回路ＥＣの形成された板紙Ｐは、
扉部第１パネル１１Ａが扉部第２パネル１１Ｂに、配列部第１パネル１２Ａが配列部第２パネル１２Ｂにそれぞれ重なるように折り畳んで接着
このとき、
導電スポット２１Ａは不連続部２２に、導電スポット２１Ｂは不連続部２３にそれぞれ重なるように折り畳まれ
【００３１】
　次に、扉部第３パネル１１Ｃを扉部第１パネル１１Ａに重ね合わせるように折り畳んで接着する。そして、保持部第１パネル１３Ａを保持部第３パネル１３Ｂに重ね合わせるように折り畳んで接着する。このとき、保持部第１パネル１３Ａと保持部第３パネル１３Ｄとの間には、プラスチックシート１４とアルミシートＡＬを挟みこむ。詳しくは、２８個の湾曲部１４Ａがそれぞれ切り欠き１３ＡＸから突出するようにプラスチックシート１４を挟みこむ。プラスチックシート１４を挟み込んだ後、サプリメント１５をそれぞれ湾曲部１４Ａに収容する。次に、湾曲部１４Ａを塞ぐようにアルミシートＡＬを重ねる。このようにして、２８粒のサプリメント１５は、湾曲部１４ＡとアルミシートＡＬとで形成された２８個の収容部３０に１粒ずつ収容される。そして、アルミシートＡＬに保持部第３パネル１３Ｄを重ねる。
【００３２】
　なお、
それぞれのパネルの接着には、弱導電性のヒートシール剤を用い
このヒートシール剤は、不連続部２２、不連続部２３Ａ，２３Ｂ，２３Ｃを避けるようにして塗布され
配列部第２パネル１２Ｂと、これを重ね合わせる配列部第１パネル１２Ａでは、不連続部２２、不連続部２３Ａ，２３Ｂ，２３Ｃを避けるようにヒートシール剤が塗布され
これによって、不連続部２２、不連続部２３Ａ，２３Ｂ，２３Ｃの箇所では、配列部第１パネル１２Ａと配列部第２パネル１２Ｂとの間に隙間が形成され
【００３３】
　そして、
スタートボタンＳＴを押下することで、配列部第２パネル１２ＢのスタートボタンＳＴと反対側に形成されている不連続部２２が押されて導電スポット２１Ａと接触して回路が導通
同様に、回答ボタン１９Ａを押下することで、配列部第２パネル１２Ｂの回答ボタン１９Ａと反対側に形成されている不連続部２３Ａが押されて導電スポット２１Ｂ１と接触して回路が導通
回答ボタン１９Ｂを押下することで、配列部第２パネル１２Ｂの回答ボタン１９Ｂと反対側に形成されている不連続部２３Ｂが押されて導電スポット２１Ｂ２と接触して回路が導通
回答ボタン１９Ｃを押下することで、配列部第２パネル１２Ｂの回答ボタン１９Ｃと反対側に形成されている不連続部２３Ｃが押されて導電スポット２１Ｂ３と接触して回路が導通する
【００３４】
　このようにして、図２（ａ）に示すように開いた状態の電子パッケージ１０が形成される。なお、持ち運び時には、さらに、罫線Ｋ８，Ｋ７で物質保持部１３をボタン配列部１２に向けて折り曲げた後、扉部１１を罫線Ｋ２，Ｋ３で物質保持部１３に向けて折り曲げる（このようにして、図１のような形体になる）。
【００３５】
　図４には、使用者情報管理システム（物質情報管理システム）を示す。使用者情報管理システムは、電子パッケージ１０、データ読取装置（電子情報読取装置）４０、解析装置５０、複数のモニター（表示手段）６０などで構成される。
電子パッケージ１０に備える電子モジュールＭは、
電磁波（ＲＦ信号）を送信するアンテナ（送信手段）３２、電子データを記憶する記憶手段３３
などを備え
【００３６】
　データ読取装置４０は、動作磁界を発生させる発信手段４１、電磁波（ＲＦ信号）を受信するアンテナ（受信手段）４２などを備え、外部電源Ｅと接続されている。したがって、発信手段４１は常時、動作磁界を発生させている。なお、電子パッケージ１０とデータ読取装置４０との間は無線通信波によりデータ伝送が行われる。解析装置５０は、サーバー（格納手段）５１、解析手段５２などを備える。サーバー５１には、電子パッケージ１０より伝送された生データ、および、この生データを解析手段５２にて解析した解析データなどが格納されている。
【００３７】
　モニター６０は、サーバー５１に格納された生データや解析データを表示することができる。データ読取装置４０と解析装置５０との間、および、解析装置５０とモニター６０との間はケーブル線接続または無線通信でデータ伝送が行われる。
【００３８】
　次に、このように構成された使用者情報管理システムの運用方法について、図１〜４を参照しつつ、図５，６を用いて説明する。まず、販売員のカウンセリングに基づいて使用者は、最適と思われる電子パッケージ１０に入った美肌促進のためのサプリメント１５を店舗にて購入する。なお、それぞれの
電子パッケージ１０の記憶手段３３には、
使用者の年齢、身長、体重、体脂肪率などを記憶手段３３に記憶するようにしてもよ
【００３９】
　そして、一日１錠、サプリメント１５を服用する。服用する際、まず、使用者は、電子パッケージ１０のスタートボタン（スタートスイッチ）１７を押す（Ｓ１）。すると不連続部２２と導電スポット２１Ａが接触して不連続部２２前後の回路線が導通し、電子モジュールＭの制御部３７が電池３５を電気回路ＥＣに接続して電気回路ＥＣをＯＮにする（Ｓ２）。次に、電子パッケージ１０に表示されている使用者に対する質問文１８、「お肌の調子はいかがですか」に回答するために回答ボタン１９Ａ〜１９Ｃのいずれかを押す（Ｓ３）。今回は、「悪い」（回答）に相当する回答ボタン１９Ａを押下する。すると、不連続部２３Ａと導電スポット２１Ｂ１が接触して不連続部２３Ａ前後の回路線が導通し、電子モジュールＭの制御部３７がリアルタイムクロック３４を作動させて、回答ボタン１９Ａが押された日時をタイムスタンプし、
回答とその回答がなされた日時（回答情報と称す）を記憶手段３３に記憶
【００４０】
　次に、サプリメント１５を１つ取り出す。２８個のサプリメント１５は１つずつ湾曲部１４Ａと保持部第３パネル１３Ｄとの間に形成された収容部３０に収容されている（図５（ａ））。この湾曲部１４Ａを上方より親指ＴＨで押して、サプリメント１５を下方に押し出す（Ｓ５）。すると、ミシン目Ｃ１に沿って保持部第３パネル１３Ｄが、ミシン目Ｃ２に沿って保持部第２パネル１３Ｂが切り取られるとともに、アルミシートＡＬが破断して、サプリメント１５が収容部３０から押し出される。このとき、電気回路ＥＣの検知部２４も同時に切り取られ（断線して）、この電気回路ＥＣの電流が停止する。電子モジュールＭの制御部３７は、このサプリメント１５が取り出された日時のタイムスタンプと、取り出された収容部３０の位置（取出情報と称す）とを記憶手段３３に記憶させる（Ｓ６）。すなわち、検知部２４は収容部３０からサプリメント１５が取り出されたことを検知する。なお、このとき、前記回答情報とこの取出情報とをリンクさせて記憶するようにしてもよい。
【００４１】
　ここで、オートスリープ手段３６は、回答ボタン１９Ａが押されたときからの時間を計測し（Ｓ７）、所定の時間、サプリメント１５が取り出されない場合（無操作状態）は、制御部３７を介して電池３５の電源供給を微弱にし、電気回路ＥＣをスリープ状態にする。加えて、オートスリープ手段３６は、サプリメント１５が取り出されたときからの時間も計測し、所定の時間、他の操作がなされない（無操作状態）と、制御部３７を介して電池３５の電源供給を微弱にし、電気回路ＥＣをスリープ状態にする（Ｓ８）。
【００４２】
　このような手順で、２８日間、サプリメント１５を服用し、そのたびごとに、それぞれのサプリメント１５に対応した回答情報と取出情報とが記憶手段３３に記憶される。２８個のサプリメント１５を服用し終えたら、新しいサプリメントを購入するために、販売店舗へ出向く。この際、使い終えた電子パッケージ１０を持参する。
【００４３】
　販売舗には、データ読取装置４０、解析装置５０、モニター６０が備えられている。店頭で、使用者は、使用済みの電子パッケージ１０を販売員に渡す。販売員は、電子パッケージ１０の扉部１１（すなわち、電子モジュールＭが収納されている部分）をデータ読取装置４０に近づける。データ読取装置４０は、外部電源Ｅによって発信手段４１が常時、動作磁界を発生させており、電子パッケージ１０の発電回路３１がこの動作磁界によって励磁され、誘導電流を発生させる。これによって、電子モジュールＭは電源がＯＮとなり、
アンテナ３２より、記憶手段３３に記憶されている全てのサプリメント１５に対する回答情報と取出情報、および、商品の固有情報が無線通信波として送信される
　上記下線部及び関連箇所の記載によれば、引用文献１には、カバープレートとして、以下の発明（以下、「引用発明」という。）が記載されている。
　「電子パッケージ１０は、１枚のブランク紙（ブランクシート）を所望の形状にカットされた板紙（基板）Ｐを備え、
　板紙Ｐには、それぞれ矩形状の、扉部第１パネル１１Ａ、配列部第１パネル１２Ａ、配列部第２パネル１２Ｂ、扉部第２パネル１１Ｂ、扉部第３パネル１１Ｃ、保持部第１パネル１３Ａ、保持部第２パネル１３Ｂ、保持部第３パネル１３Ｄ、および、扉部第１パネル１１Ａと配列部第１パネル１２Ａとの間に備える側部パネル１６Ａ、配列部第２パネル１２Ｂと扉部第２パネル１１Ｂとの間に備える側部パネル１６Ｂ、配列部第１パネル１２Ａと保持部第２パネル１３Ｂとの間に備える側部パネル１７Ａ、配列部第２パネル１２Ｂと保持部第３パネル１３Ｄとの間に備える側部パネル１７Ｂとで構成され、
　板紙Ｐに代えて、プラスチックシートなど一定の厚みを持った折り曲げ性にすぐれた材料（部材）を用い、
　配列部第１パネル１２Ａには、導電スポット２１Ａ、導電スポット２１Ｂ１，２１Ｂ２，２１Ｂ３が形成され、
　配列部第２パネル１２Ｂには、不連続部２２、不連続部２３Ａ，２３Ｂ，２３Ｃが形成され、配列部第２パネル１２Ｂの、不連続部２２に対応する反対側の面には円状のスタートボタンＳＴが印刷され、配列部第２パネル１２Ｂの、不連続部２３Ａ，２３Ｂ，２３Ｃに対応する反対側の面にはそれぞれ円状の回答ボタン１９Ａ，１９Ｂ，１９Ｃが印刷され、
　扉部第２パネル１１Ｂには、電子モジュールＭが貼着され、
　扉部第２パネル１１Ｂ、配列部第２パネル１２Ｂ、側部パネル１６Ｂ，１７Ｂ、保持部第３パネル１３Ｄには、電気回路ＥＣを形成し、電気回路ＥＣの陰極端子は、電子モジュールＭの一端より出て、扉部第２パネル１１Ｂ、側部パネル１６Ｂ，１７Ｂ、配列部第２パネル１２Ｂ、保持部第３パネル１３Ｄのそれぞれ縁部を通って、電子モジュールＭの他端へ入るように回路構成され、一方、電気回路ＥＣの陽極端子は合計で３２個あり、そのうちの１つが不連続部２２の一方に達し、不連続部２２の他方は、陰極回路に合流し、また、３つの陽極端子はそれぞれ３つの不連続部２３の一方に達し、不連続部２３の他方は、陰極回路に合流するものであり、
　導電スポット２１Ａ、導電スポット２１Ｂ１，２１Ｂ２，２１Ｂ３、不連続部２２，２３Ａ，２３Ｂ，２３Ｃ、電気回路ＥＣは、導電物質をインクジェット方式により板紙Ｐ上に印刷することによって形成され、
　板紙Ｐを折り畳む際、切り欠き１１ＡＸは、扉部第１パネル１１Ａを扉部第２パネル１１Ｂに重ねたときに、電子モジュールＭの対応する位置に形成され、導電スポット２１Ａは、配列部第１パネル１２Ａを配列部第２パネル１２Ｂに重ねたときに、不連続部２２の中央部に略一致するように形成され、導電スポット２１Ｂ１，２１Ｂ２，２１Ｂ３は、配列部第１パネル１２Ａを配列部第２パネル１２Ｂに重ねたときに、それぞれ不連続部２３Ａ，２３Ｂ，２３Ｃの２つの電極にまたがる位置に形成され、
　電気回路ＥＣの形成された板紙Ｐは、扉部第１パネル１１Ａが扉部第２パネル１１Ｂに、配列部第１パネル１２Ａが配列部第２パネル１２Ｂにそれぞれ重なるように折り畳んで接着し、このとき、導電スポット２１Ａは不連続部２２に、導電スポット２１Ｂは不連続部２３にそれぞれ重なるように折り畳まれ、
　それぞれのパネルの接着には、弱導電性のヒートシール剤を用い、このヒートシール剤は、不連続部２２、不連続部２３Ａ，２３Ｂ，２３Ｃを避けるようにして塗布され、配列部第２パネル１２Ｂと、これを重ね合わせる配列部第１パネル１２Ａでは、不連続部２２、不連続部２３Ａ，２３Ｂ，２３Ｃを避けるようにヒートシール剤が塗布され、
　これによって、不連続部２２、不連続部２３Ａ，２３Ｂ，２３Ｃの箇所では、配列部第１パネル１２Ａと配列部第２パネル１２Ｂとの間に隙間が形成され、
　スタートボタンＳＴを押下することで、配列部第２パネル１２ＢのスタートボタンＳＴと反対側に形成されている不連続部２２が押されて導電スポット２１Ａと接触して回路が導通し、同様に、回答ボタン１９Ａを押下することで、配列部第２パネル１２Ｂの回答ボタン１９Ａと反対側に形成されている不連続部２３Ａが押されて導電スポット２１Ｂ１と接触して回路が導通し、回答ボタン１９Ｂを押下することで、配列部第２パネル１２Ｂの回答ボタン１９Ｂと反対側に形成されている不連続部２３Ｂが押されて導電スポット２１Ｂ２と接触して回路が導通し、回答ボタン１９Ｃを押下することで、配列部第２パネル１２Ｂの回答ボタン１９Ｃと反対側に形成されている不連続部２３Ｃが押されて導電スポット２１Ｂ３と接触して回路が導通するものであり、
　電子パッケージ１０に備える電子モジュールＭは、電磁波（ＲＦ信号）を送信するアンテナ（送信手段）３２、電子データを記憶する記憶手段３３などを備え、
　電子パッケージ１０の記憶手段３３には、使用者の年齢、身長、体重、体脂肪率などを記憶手段３３に記憶するようにし、回答とその回答がなされた日時（回答情報と称す）を記憶手段３３に記憶し、
　アンテナ３２より、記憶手段３３に記憶されている全てのサプリメント１５に対する回答情報と取出情報、および、商品の固有情報が無線通信波として送信される
　電子パッケージ１０。」
第６　対比・判断
１．本願発明１について
（１）対比
　本願発明１と引用発明とを対比する。
ア．引用発明の「スタートボタンＳＴ」、「回答ボタン１９Ａ」などは、本願発明１の「使用者が押圧可能な複数の選択ボタン」に相当する。
イ．引用発明において、「電子モジュールＭ」は、「アンテナ（送信手段）３２」と「記憶手段３３」を有し、「使用者の年齢、身長、体重、脂肪率などを記憶手段３３に記憶」し、「回答とその回答がなされた日時（回答情報と称す）を記憶手段３３に記憶」するものであり、また、「アンテナ３２より、記憶手段３３に記憶されている全てのサプリメント１５に対する回答情報と取出情報、および、商品の固有情報が無線通信波として送信される」から、引用発明の「電子モジュールＭ」は、本願発明１の「使用者の識別情報と押圧された選択ボタンの情報とを少なくとも記憶可能で、記憶された情報をホスト装置に無線送信可能な通信モジュール」に相当する。
ウ．引用発明の「電子パッケージ１０」は、「１枚のブランク紙（ブランクシート）を所望の形状にカットされた板紙（基板）Ｐ」を備えるものであり、「プラスチックシートなどの一定の厚みを持った折り曲げ性にすぐれた材料（部材）を用い」るものであり、前記「スタートボタンＳＴ」等が印刷され、前記「電子モジュールＭ」が貼着されるものであるから、本願発明１の「使用者が押圧可能な複数の選択ボタンと、使用者の識別情報と押圧された選択ボタンの情報とを少なくとも記憶可能で、記憶された情報をホスト装置に無線送信可能な通信モジュールと、を備えたシート状の情報収集装置」に相当する。
エ．引用発明は「板紙Ｐには、それぞれ矩形状の、・・・扉部第２パネル１１Ｂ・・・とで構成され、板紙Ｐに代えて、プラスチックシートなど一定の厚みを持った折り曲げ性にすぐれた材料（部材）を用い、」「扉部第２パネル１１Ｂには、電子モジュールＭが貼着され」るものであるから、引用発明の「プラスチックシート」を用いた「第２パネル」は、本願発明１の「前記通信モジュールが実装される第１樹脂層」に相当するといえる。
オ．引用発明の「扉部第１パネル１１Ａが扉部第２パネル１１Ｂに、配列部第１パネル１２Ａが配列部第２パネル１２Ｂにそれぞれ重なるように折り畳んで接着」されるものであるから、引用発明の「第１パネル」は、本願発明１の「前記第１樹脂層に接着される第２樹脂層」に相当するといえる。
カ．引用発明の「不連続部２２，不連続部２３Ａ，２３Ｂ，２３Ｃ」は、「不連続部２２に対応する反対側の面には円状のスタートボタンＳＴが印刷され」、「不連続部２３Ａ，２３Ｂ，２３Ｃに対応する反対側の面にはそれぞれ円状の回答ボタン１９Ａ，１９Ｂ，１９Ｃが印刷され」るものであるから、本願発明１の「前記複数の選択ボタンの各位置に対応づけて２つずつ設けられる複数の接点」に相当する。
キ．引用発明の「電気回路ＥＣ」は、「電気回路ＥＣの陰極端子は、電子モジュールＭの一端より出て、扉部第２パネル１１Ｂ、側部パネル１６Ｂ，１７Ｂ、配列部第２パネル１２Ｂ、保持部第３パネル１３Ｄのそれぞれ縁部を通って、電子モジュールＭの他端へ入るように回路構成され、一方、電気回路ＥＣの陽極端子は合計で３２個あり、そのうちの１つが不連続部２２の一方に達し、不連続部２２の他方は、陰極回路に合流し、また、３つの陽極端子はそれぞれ３つの不連続部２３の一方に達し、不連続部２３の他方は、陰極回路に合流するもの」であるから、本願発明１の「前記通信モジュールの複数の端子のそれぞれに接続される複数の端子部と、前記複数の接点のそれぞれと前記複数の端子部のそれぞれとを電気的に接続する複数の導通パターン」に相当する。
ク．引用発明は「配列部第２パネル１２Ｂ」に、「不連続部２２、不連続部２３Ａ，２３Ｂ，２３Ｃが形成され」、「扉部第２パネル１１Ｂ、配列部第２パネル１２Ｂ、側部パネル１６Ｂ，１７Ｂ、保持部第３パネル１３Ｄ」に、「電気回路ＥＣ」が形成されるものであるから、引用発明の「配列部第２パネル１２Ｂ」の「不連続部２２、不連続部２３Ａ，２３Ｂ，２３Ｃ」および「電気回路ＥＣ」が形成され面は、本願発明１の「第１面」に相当し、引用発明の「第２パネル」が「配列部第２パネル１２Ｂ」の上記面を備えることは、本願発明１の「前記第１樹脂層は、前記複数の選択ボタンの各位置に対応づけて２つずつ設けられる複数の接点と、前記通信モジュールの複数の端子のそれぞれに接続される複数の端子部と、前記複数の接点のそれぞれと前記複数の端子部のそれぞれとを電気的に接続する複数の導通パターンとを有する第１面を備え」ることに相当する。
ケ．引用発明は「導電スポット２１Ａは、配列部第１パネル１２Ａを配列部第２パネル１２Ｂに重ねたときに、不連続部２２の中央部に略一致するように形成され、導電スポット２１Ｂ１，２１Ｂ２，２１Ｂ３は、配列部第１パネル１２Ａを配列部第２パネル１２Ｂに重ねたときに、それぞれ不連続部２３Ａ，２３Ｂ，２３Ｃの２つの電極にまたがる位置に形成され」るものであるから、引用発明の「導電スポット２１Ａ，導電スポット２１Ｂ１，２１Ｂ２，２１Ｂ３」は、本願発明１の「対応する２つの前記接点ごとに設けられる複数の接点導通部」に相当する。
コ．引用発明は「配列部第１パネル１２Ａ」に、「導電スポット２１Ａ、導電スポット２１Ｂ１，２１Ｂ２，２１Ｂ３」が形成されるものであるから、引用発明の「配列部第１パネル１２Ａ」の「導電スポット２１Ａ、導電スポット２１Ｂ１，２１Ｂ２，２１Ｂ３」が形成される面は、本願発明１の「第２面」に相当し、引用発明の「第１パネル」が「配列部第１パネル１２Ａ」の上記面を備えることは、本願発明１の「前記第２樹脂層は、対応する２つの前記接点ごとに設けられる複数の接点導通部を有する第２面を備え」ることに相当する。
サ．引用発明は「配列部第２パネル１２Ｂの、不連続部２２に対応する反対側の面には円状のスタートボタンＳＴが印刷され、配列部第２パネル１２Ｂの、不連続部２３Ａ，２３Ｂ，２３Ｃに対応する反対側の面にはそれぞれ円状の回答ボタン１９Ａ，１９Ｂ，１９Ｃが印刷され」る構成を有するものであるから、引用発明の「配列部第２パネル１２Ｂの、不連続部２２に対応する反対側の面」、「配列部第２パネル１２Ｂの、不連続部２３Ａ，２３Ｂ，２３Ｃに対応する反対側の面」は、本願発明１の「前記第１面および前記第２面のいずれか一方の反対側に設けられる第３面」に、引用発明の「配列部第２パネル１２Ｂ」の「スタートボタンＳＴ」、「回答ボタン１９Ａ，１９Ｂ，１９Ｃ」が印刷された部位は、本願発明１の「複数の選択ボタンのそれぞれの押下位置を示す複数のボタン操作部」にそれぞれ相当し、引用発明の上記構成は、本願発明１の「前記第１面および前記第２面のいずれか一方の反対側に設けられる第３面は、前記複数の選択ボタンのそれぞれの押下位置を示す複数のボタン操作部を有」することに相当する。
シ．引用発明が「板紙Ｐに代えて、プラスチックシートなど一定の厚みを持った折り曲げ性にすぐれた材料（部材）を用い」、「それぞれのパネルの接着には、弱導電性のヒートシール剤を用い、このヒートシール剤は、不連続部２２、不連続部２３Ａ，２３Ｂ，２３Ｃを避けるようにして塗布され、配列部第２パネル１２Ｂと、これを重ね合わせる配列部第１パネル１２Ａでは、不連続部２２、不連続部２３Ａ，２３Ｂ，２３Ｃを避けるようにヒートシール剤が塗布され、これによって、不連続部２２、不連続部２３Ａ，２３Ｂ，２３Ｃの箇所では、配列部第１パネル１２Ａと配列部第２パネル１２Ｂとの間に隙間が形成され」ることは、本願発明１の「前記複数の選択ボタンのそれぞれに対応する前記接点と、この接点に対向配置される前記接点導通部との周囲には、該接点と該接点導通部との間の空気を分散させる空気分散部が設けられ」ることと、「前記複数の選択ボタンのそれぞれに対応する前記接点と、この接点に対向配置される前記接点導通部との周囲には、該接点と該接点導通部との間の空気を有する空間部」が設けられる点では共通するといえる。
　したがって、両者は以下の一致点と相違点とを有する。
〈一致点〉
　「使用者が押圧可能な複数の選択ボタンと、
　使用者の識別情報と押圧された選択ボタンの情報とを少なくとも記憶可能で、記憶された情報をホスト装置に無線送信可能な通信モジュールと、を備えたシート状の情報収集装置であって、
　前記通信モジュールが実装される第１樹脂層と、
　前記第１樹脂層に接着される第２樹脂層と、を備え、
　前記第１樹脂層は、前記複数の選択ボタンの各位置に対応づけて２つずつ設けられる複数の接点と、前記通信モジュールの複数の端子のそれぞれに接続される複数の端子部と、前記複数の接点のそれぞれと前記複数の端子部のそれぞれとを電気的に接続する複数の導通パターンとを有する第１面を備え、
　前記第２樹脂層は、対応する２つの前記接点ごとに設けられる複数の接点導通部を有する第２面を備え、
　前記第１面および前記第２面のいずれか一方の反対側に設けられる第３面は、前記複数の選択ボタンのそれぞれの押下位置を示す複数のボタン操作部を有し、
　前記複数の選択ボタンのそれぞれに対応する前記接点と、この接点に対向配置される前記接点導通部との周囲には、該接点と該接点導通部との間の空気を有する空間部が設けられる情報収集装置。」
である点。
〈相違点〉
　本願発明１は、「前記複数の選択ボタンのそれぞれに対応する前記接点と、この接点に対向配置される前記接点導通部との周囲には、該接点と該接点導通部との間の空気を分散させる空気分散部が設けられ、前記空気分散部は、前記複数のボタン操作部の少なくとも一部に設けられ、対応する前記接点および前記接点導通部の間の空気を前記ボタン操作部の表面から逃がす孔を含んでおり、前記複数のボタン操作部は、人間の指が触れる操作面と、この操作面の端部に設けられる段部とを有し、前記空気分散部は、前記操作面の反対側の面と前記段部とで形成される空間に配置され、前記孔は、前記段部に設けられる」のに対して、引用発明は、ボタンに対応する接点となる「不連続部」の周囲には、パネル間に隙間が形成されるものではあるものの、当該隙間の空気を分散させる「空気分散部」が設けられるとはされておらず、また、ボタンは、「人間の指が触れる操作面と、この操作面の端部に設けられる段部とを有」し、「孔は、前記段部に設けられる」とは特定されていない点。
（２）相違点についての検討
　上記相違点について検討すると、引用例２の段落【０００４】−【０００８】及び図５には、スイッチを接続するときにドーム型可動接点の内部から空気が吐き出されるので、吐き出される空気を逃がす方法が要求されるドーム型スイッチにおいて、ドーム型可動接点を保持するシートを基材と粘着層との２層から構成し、ドーム型可動接点の縁部付近に前記２層を貫通する空気逃げ穴を形成する技術（以下、「引用例２記載の技術」という。）が記載されており、ボタンに対応する接点となる「不連続部」の周囲には、パネル間に隙間が形成されるものである引用発明に引用例２記載の技術を適用し、可動接点に相当する「不連続部」の縁部に空気逃げ穴を形成することは、当業者が容易になし得たことである。
　また、引用例３の第４図及び関連する記載には、可動接点１８を保持する弾性シート１３を、下部周壁１７ｂと頭部１７ａとの間に頭部１７ａを囲むように段状部１７ｃが形成された押しボタンスイッチが記載されるように、操作面の端部に設けられる段部を有するボタンは本願出願前周知のものであり、引用発明のボタンを、操作面の端部に設けられる段部を有する形状のボタンとすることは、当業者が適宜なし得る設計事項にすぎない。
　しかしながら、引用発明において、ボタンを上記周知の操作面の端部に設けられる段部を有する形状のボタンとすると共に引用例２記載の技術を適用すると、「前記複数の選択ボタンのそれぞれに対応する前記接点と、この接点に対向配置される前記接点導通部との周囲には、該接点と該接点導通部との間の空気を分散させる空気分散部が設けられ、前記空気分散部は、前記複数のボタン操作部の少なくとも一部に設けられ、対応する前記接点および前記接点導通部の間の空気を前記ボタン操作部の表面から逃がす孔を含んでおり、前記複数のボタン操作部は、人間の指が触れる操作面と、この操作面の端部に設けられる段部とを有し、前記空気分散部は、前記操作面の反対側の面と前記段部とで形成される空間に配置され」たものとはなるものの、必ずしも、「前記孔は、前記段部に設けられる」ものとなるものではない。
　そして、引用発明のボタンを上記周知の操作面の端部に設けられる段部を有する形状のボタンとすると共に引用例２記載の技術を適用したものにおいて、さらに、空気逃げ用の「孔は、前記段部に設けられる」構成とする動機はない。
　したがって、本願発明１は、当業者であっても引用発明、引用文献２に記載された技術的事項及び上記周知技術に基づいて容易に発明できたものであるとはいえない。
２．本願発明２−４について
　本願発明２−４は、本願発明１を引用するものであり、上記「１．請求項１について」にて述べたのと同じ理由により、当業者であっても引用発明、引用文献２に記載された技術的事項及び上記周知技術に基づいて容易に発明できたものであるとはいえない。
第７　原査定について
　本願発明１−４は、「前記複数の選択ボタンのそれぞれに対応する前記接点と、この接点に対向配置される前記接点導通部との周囲には、該接点と該接点導通部との間の空気を分散させる空気分散部が設けられ、前記空気分散部は、前記複数のボタン操作部の少なくとも一部に設けられ、対応する前記接点および前記接点導通部の間の空気を前記ボタン操作部の表面から逃がす孔を含んでおり、前記複数のボタン操作部は、人間の指が触れる操作面と、この操作面の端部に設けられる段部とを有し、前記空気分散部は、前記操作面の反対側の面と前記段部とで形成される空間に配置され、前記孔は、前記段部に設けられる」という技術的事項を有し、当該技術的事項は、原査定における引用文献Ａ−Ｂには記載されておらず、本願出願日前における周知技術でもないので、本願発明１−４は、当業者であっても、原査定における引用文献Ａ−Ｂに基づいて容易に発明できたものではない。
　したがって、原査定を維持することはできない。
第８　むすび
　以上のとおり、原査定の理由によっては、本願を拒絶することはできない。
　また、他に本願を拒絶すべき理由を発見しない。
　よって、結論のとおり審決する。